【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
セル・ヘッダ圧縮システムであって：
複数の、各々がセル・ヘッダ及びペイロードを有する、セルを受信する工程；及び
該セルを該セル・ヘッダによってソートする工程；
を行うよう操作し得る、ソータ；
該セル・ヘッダと、該セル・ヘッダによる該ペイロードの配置、とを記述する圧縮制御ブロックを生成するよう操作し得る、圧縮モジュール；及び
該ペイロードを該配置によって組み立てる工程；
該圧縮制御ブロック及び該組み立てられたペイロードを有するデータグラムを生成する工程；及び
該データグラムを送信する工程；
を行うよう操作し得るデータグラム・アセンブル器；
を有することを特徴とするセル・ヘッダ圧縮システム。
【請求項２】
請求項１記載のセル・ヘッダ圧縮システムであって、該セルが複数の非同期転送モード・セルを有することを特徴とするセル・ヘッダ圧縮システム。
【請求項３】
請求項１記載のセル・ヘッダ圧縮システムであって、更に：
前記ソータ；
前記圧縮モジュール；及び
前記アセンブル器；
を有するカプセル器；
を有することを特徴とするセル・ヘッダ圧縮システム。
【請求項４】
請求項１記載のセル・ヘッダ圧縮システムであって、前記ソータは該セルを前記セル・ヘッダによって：
該セルの、各々が宛先アドレスを有する、該セル・ヘッダを比較する工程；
複数のかなり同様なセル・ヘッダを特定する工程；及び
該かなり同様なセル・ヘッダによって該セルを群化する工程；
を行うことによってソートするよう操作し得ることを特徴とするセル・ヘッダ圧縮システム。
【請求項５】
請求項４記載のセル・ヘッダ圧縮システムであって、前記かなり同様なセル・ヘッダがかなり同様な宛先アドレスを有することを特徴とするセル・ヘッダ圧縮システム。
【請求項６】
請求項１記載のセル・ヘッダ圧縮システムであって、更に：
第１群のセル・ヘッダ毎に第１バイト数を格納するよう操作し得る第１圧縮モジュール；及び
第２群のセル・ヘッダ毎に第２バイト数を格納するよう操作し得る第２圧縮モジュール；
を有する複数の圧縮モジュールを有することを特徴とするセル・ヘッダ圧縮システム。
【請求項７】
請求項６記載のセル・ヘッダ圧縮システムであって、前記ソータが更に：
該セルの前記セル・ヘッダを比較する工程；
かなり同様な複数のセル・ヘッダを特定する工程；
該セルを該かなり同様なセル・ヘッダによって複数群に群化する工程；及び
該圧縮モジュールを該群の数に応じて選定する工程；
を行うよう操作し得ることを特徴とするセル・ヘッダ圧縮システム。
【請求項８】
請求項６記載のセル・ヘッダ圧縮システムであって、前記ソータが所定のサイクル数について先行して正常であった圧縮モジュールを選定することによって圧縮モジュールを選定するよう操作し得ることを特徴とするセル・ヘッダ圧縮システム。
【請求項９】
請求項１記載のセル・ヘッダ圧縮システムであって、前記圧縮制御ブロックが５バイトのヘッダ、４バイトのヘッダ、３バイトのヘッダ、及び半バイトのヘッダから成る群から選定された圧縮セル・ヘッダを有することを特徴とするセル・ヘッダ圧縮システム。
【請求項１０】
請求項１記載のセル・ヘッダ圧縮システムであって、前記圧縮制御ブロックは複数の遷移の多数のセルの複数の宛先アドレスを記述し、該遷移のセル毎の宛先アドレスがかなり同様であることを特徴とするセル・ヘッダ圧縮システム。
【請求項１１】
請求項１記載のセル・ヘッダ圧縮システムであって、前記圧縮モジュールが圧縮制御ブロックを：
セルの部分集合の、該部分集合の各セルがかなり同様なセル・ヘッダを有する、セル数を判定する工程；
該かなり同様なセル・ヘッダを該圧縮制御ブロックに書き込む工程；及び
セルの該部分集合の該セル数を該圧縮制御ブロックに書き込む工程；
を行うことによって生成するよう操作し得ることを特徴とするセル・ヘッダ圧縮システム。
【請求項１２】
請求項１記載のセル・ヘッダ圧縮システムであって、前記データグラム・アセンブル器が所定の時間後に前記データグラムの組み立てを終結するよう操作し得るレーテンシ・タイマを有することを特徴とするセル・ヘッダ圧縮システム。
【請求項１３】
請求項１記載のセル・ヘッダ圧縮システムであって、前記データグラムが更に該データグラムの完全性を検査するのに用いられる巡回冗長検査文字を有することを特徴とするセル・ヘッダ圧縮システム。
【請求項１４】
請求項１記載のセル・ヘッダ圧縮システムであって、更に：
前記データグラム・アセンブル器によって送信された前記データグラムを受信する工程；
少なくとも１つのペイロードに関連するものとして前記圧縮制御ブロックの圧縮セル・ヘッダを特定する工程；
該セル・ヘッダを復元する工程；及び
該復元セル・ヘッダを該圧縮セル・ヘッダに関連した該少なくとも１つのペイロードにプリペンドする工程；
を行うよう操作し得る受信器を有することを特徴とするセル・ヘッダ圧縮システム。
【請求項１５】
請求項１記載のセル・ヘッダ圧縮システムであって、前記ペイロードが暗号化データを有することを特徴とするセル・ヘッダ圧縮システム。
【請求項１６】
セル・ヘッダ圧縮システムであって：
複数の、各々がセル・ヘッダ及びペイロードを有する、セルを受信する工程；及び
該複数のセルを該セル・ヘッダによってソートする工程；
を行うよう操作し得る、ソータ；
該セル・ヘッダと、該ペイロードの配置、とを記述する圧縮制御ブロックを、所定のセル数について：
該セルの部分集合の、該部分集合の各セルがかなり同様なセル・ヘッダを有する、セル数を判定する工程；
該かなり同様なセル・ヘッダを該圧縮制御ブロックに書き込む工程；及び
該部分集合の該セル数を該圧縮制御ブロックに書き込む工程；
を繰り返すことによって、生成するよう操作し得る、圧縮モジュール；及び
該ペイロードを該配置によって組み立てる工程；
該圧縮制御ブロック及び該組み立てられたペイロードを有するデータグラムを生成する工程；及び
該データグラムを送信する工程；
を行うよう操作し得るデータグラム・アセンブル器；
を有することを特徴とするセル・ヘッダ圧縮システム。
【請求項１７】
セル・ヘッダ圧縮の方法であって：
複数の、各々がセル・ヘッダ及びペイロードを有する、セルを受信する工程；
該セルを該セル・ヘッダによってソートする工程；
該セル・ヘッダと、該ペイロードの配置、とを記述する圧縮制御ブロックを生成する工程；
該ペイロードを該配置によって組み立てる工程；及び
該圧縮制御ブロック及び該組み立てられたペイロードを有するデータグラムを生成する工程；
を有することを特徴とする方法。
【請求項１８】
請求項１７記載のセル・ヘッダ圧縮の方法であって、該セルが複数の非同期転送モード・セルを有することを特徴とする方法。
【請求項１９】
請求項１７記載のセル・ヘッダ圧縮の方法であって、前記セルを受信する工程が：
該セルをスイッチで受信する工程；及び
該セルを、
ソータ；
圧縮モジュール；及び
データグラム・アセンブル器；
を有するカプセル器に送信する工程；
を有することを特徴とする方法。
【請求項２０】
請求項１７記載のセル・ヘッダ圧縮の方法であって、該セルを前記セル・ヘッダによってソートする工程は：
該セルの、宛先アドレスを有する、該セル・ヘッダを比較する工程；
複数のかなり同様なセル・ヘッダを特定する工程；及び
該かなり同様なセル・ヘッダによって該セルを群化する工程；
を有することを特徴とする方法。
【請求項２１】
請求項２０記載のセル・ヘッダ圧縮の方法であって、前記複数のかなり同様なセル・ヘッダを特定する工程がかなり同様な宛先アドレスを特定する工程を有することを特徴とする方法。
【請求項２２】
請求項１７記載のセル・ヘッダ圧縮の方法であって、前記セルを前記セル・ヘッダによってソートする工程は：
該セルの該セル・ヘッダを比較する工程；
該セル・ヘッダの少なくとも２つのかなり同様な宛先アドレスを特定する工程；
該セルを複数の群に該少なくとも２つのかなり同様な宛先アドレスによって群化する工程；及び
該群の数に応じて前記圧縮モジュールを選定する工程；
を有することを特徴とする方法。
【請求項２３】
請求項１７記載のセル・ヘッダ圧縮の方法であって、更に前記圧縮制御ブロックを複数の圧縮モジュールを用いて生成する工程を有し、該複数の圧縮モジュールは：
第１群のセル・ヘッダ毎に第１バイト数を格納するよう操作し得る第１圧縮モジュール；及び
第２群のセル・ヘッダ毎に第２バイト数を格納するよう操作し得る第２圧縮モジュール；
を有することを特徴とする方法。
【請求項２４】
請求項２３記載のセル・ヘッダ圧縮の方法であって、前記セル・ヘッダによってセルをソートする工程が更に：
前記セルの前記セル・ヘッダを比較する工程；
かなり同様な複数のセル・ヘッダを特定する工程；
前記セルを該かなり同様なセル・ヘッダによって複数の群に群化する工程；及び
前記圧縮モジュールを遷移の数に応じて選定する工程；
を有することを特徴とする方法。
【請求項２５】
請求項２４記載のセル・ヘッダ圧縮の方法であって、前記圧縮モジュールを選定する工程は所定のサイクル数について先行して正常であった圧縮モジュールを選定する工程を有することを特徴とする方法。
【請求項２６】
請求項１７記載のセル・ヘッダ圧縮の方法であって、前記圧縮制御ブロックは５バイトのヘッダ、４バイトのヘッダ、３バイトのヘッダ、及び半バイトのヘッダから成る群から選定されたセル圧縮ヘッダを有することを特徴とする方法。
【請求項２７】
請求項１７記載のセル・ヘッダ圧縮の方法であって、前記圧縮制御ブロックは複数の遷移の多数のセルの複数の宛先アドレスを記述し、該遷移のセル毎の宛先アドレスがかなり同様であることを特徴とする方法。
【請求項２８】
請求項１７記載のセル・ヘッダ圧縮の方法であって、前記圧縮制御ブロックを生成する工程が：
該セルの部分集合の、該部分集合の各セルがかなり同様なセル・ヘッダを有する、セル数を判定する工程；
該かなり同様なセル・ヘッダを該圧縮制御ブロックに書き込む工程；及び
セルの該部分集合のセル数を該圧縮制御ブロックに書き込む工程；
を有することを特徴とする方法。
【請求項２９】
請求項１７記載のセル・ヘッダ圧縮の方法であって、更に、所定の時間後に前記データグラムの組み立てを終結する工程を有することを特徴とする方法。
【請求項３０】
請求項１７記載のセル・ヘッダ圧縮の方法であって、前記データグラムを生成する工程が該データグラムの完全性を検査するのに用いられる巡回冗長検査文字をアペンドする工程を有することを特徴とする方法。
【請求項３１】
請求項１７記載のセル・ヘッダ圧縮の方法であって、更に：
前記データグラム・アセンブル器によって送信された前記データグラムを受信器で受信する工程；
少なくとも１つのペイロードに関連するものとして前記圧縮制御ブロックの圧縮セル・ヘッダを特定する工程；
該セル・ヘッダを復元する工程；及び
該復元セル・ヘッダを該圧縮セル・ヘッダに関連した該少なくとも１つのペイロードにアペンドする工程；
を有することを特徴とする方法。
【請求項３２】
請求項１７記載のセル・ヘッダ圧縮の方法であって、前記ペイロードが暗号化データを有することを特徴とする方法。
【請求項３３】
セル・ヘッダ圧縮のシステムであって：
複数の、各々がセル・ヘッダ及びペイロードを有する、セルを受信する手段；
該セルを該セル・ヘッダによってソートする手段；
該セル・ヘッダと、該セル・ヘッダによる該ペイロードの配置、とを記述する圧縮制御ブロックを生成する手段；
該ペイロードを該配置によって組み立てる手段；及び
該圧縮制御ブロック及び該組み立てられたペイロードを有するデータグラムを生成する手段；
を有することを特徴とするシステム。
【請求項３４】
セル・ヘッダ圧縮システムであって：
複数の、各々がセル・ヘッダ及びペイロードを有する、非同期転送モードのセルを受信する工程；
該セルの該セル・ヘッダを比較する工程；
複数のかなり同様なセル・ヘッダを識別する工程；及び
該かなり同様なセル・ヘッダによって該セルを複数の群に群化する工程；
を行うよう操作し得るソータ；
該セル・ヘッダ及び該セル・ヘッダによる該ペイロードの配置を記述する圧縮制御ブロックを生成するよう操作し得る、
第１群のセル・ヘッダ毎に第１バイト数を格納するよう操作し得る第１圧縮モジュール；及び
第２群のセル・ヘッダ毎に第２バイト数を格納するよう操作し得る第２圧縮モジュール；
を有する複数の圧縮モジュール；及び
該配置によって該ペイロードを組み立てる工程；
該圧縮制御ブロック及び該組み立てられたペイロードを有するデータグラムを生成する工程；及び
該データグラムを送信する工程；
を行うよう操作し得るデータグラム・アセンブル器；
を有することを特徴とするセル・ヘッダ圧縮システム。